【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
１つの情報要素が複数の属性を備えることが可能な情報要素から構成されるデータベースにアクセスするデータベースアクセス手段と、
第一の属性を指定する属性指定手段と、
複数の属性間の相関度を算出し指定する相関度指定手段と、
前記相関度指定手段により算出され指定された前記属性間の相関度に関する一または複数の閾値を指定する閾値指定手段と、
前記第一の属性以外のすべての属性を第二の属性と定義し、当該第二の属性の各々の属性に対して、前記相関度指定手段から取得した前記第一の属性に対する前記第二の属性の各々の属性の相関度が、前記閾値指定手段により指定された第一の閾値に基づいて定められる範囲内であるか否かを判断し、範囲内である場合に第一の属性に対し相関が高い属性であると判定を行う相関度判定手段と、
前記第一の属性を備える情報要素から構成される第一の集合と、前記第一の属性に対し相関が高い属性であると前記相関度判定手段により判定された属性に基づいて決定される第二の集合との論理演算により、情報要素を抽出する情報抽出手段と
を備え、
前記情報抽出手段は、
前記第一の属性に対し相関が高い属性であると判定された属性の各々に関して、第一の属性に対する当該相関が高い属性であると判定された属性の相関度である第一の相関度と、当該第一の属性に対し相関が高い属性であると判定された属性に対する第一の属性の相関度である第二の相関度とを前記相関度指定手段から取得し、当該ふたつの相関度が前記閾値指定手段により指定された前記ひとつまたは複数の閾値に基づいて定められる範囲内である場合に第一の属性に対し特に相関が高い属性であると判定し、
当該第一の属性に対し特に相関が高い属性であると判定された属性のうち、少なくともひとつの属性を備える情報要素から構成される集合を第二の集合とすることを特徴とする情報抽出装置。
【請求項２】
前記相関度判定手段は、前記第一の属性に対する前記第二の属性の各々の属性の相関度が前記第一の閾値以上である場合に、当該属性は第一の属性に対し相関が高い属性であると判定することを特徴とする請求項１に記載の情報抽出装置。
【請求項３】
前記情報抽出手段は、前記第一の集合と前記第二の集合との論理和となる集合に属する情報要素を抽出することを特徴とする請求項１または２に記載の情報抽出装置。
【請求項４】
前記閾値指定手段は、第二の閾値と、第三の閾値とを指定し、
前記情報抽出手段は、前記第一の属性に対し相関が高い属性であると判定された属性の各々に関して、前記第一の相関度が前記第二の閾値以上であり且つ前記第二の相関度が前記第三の閾値以上である場合に、第一の属性に対し特に相関が高い属性であると判定することを特徴とする請求項１から３のいずれか１項に記載の情報抽出装置。
【請求項５】
前記閾値指定手段は、第二の閾値を指定し、
前記情報抽出手段は、前記第一の属性に対し相関が高い属性であると判定された属性の各々に関して、前記第一の相関度と前記第二の相関度との線形和が、前記第二の閾値以上である場合に、第一の属性に対し特に相関が高い属性であると判定することを特徴とする請求項４に記載の情報抽出装置。
【請求項６】
前記相関度指定手段が算出し指定する一の属性に対する他の属性の相関度は、当該一の属性と当該他の属性の両方を同時に備える情報要素の数を、少なくとも当該一の属性を備える情報要素の数で除算したものであることを特徴とする請求項１から５のいずれか１項に記載の情報抽出装置。
【請求項７】
前記閾値指定手段により指定される前記一または複数の閾値は、第２の集合を構成する情報要素の数が所定の数を越えないよう、決定されることを特徴とする請求項１から６のいずれか１項に記載の情報抽出装置。
【請求項８】
前記データベースに含まれる前記情報要素、もしくは、前記データベースには含まれない情報要素であって、前記データベースに含まれる前記情報要素が備えることのできる前記属性と同様の属性を備えることのできる情報要素をユーザが利用した履歴を取得する情報利用履歴取得手段をさらに備え、
前記閾値指定手段は、当該情報利用履歴取得手段が取得した履歴を基に、前記第一の属性、及び、前記第二の属性の両方、もしくはいずれかが、ユーザが利用する頻度が一定以上である情報要素が備える属性であった場合に、前記相関度判定手段により相関性があると判定される閾値の範囲が広くなるよう前記閾値の指定を行うことを特徴とする請求項１から７のいずれか１項に記載の情報抽出装置。
【請求項９】
前記情報要素は、テレビジョン放送における放送番組情報であって、前記属性は前記放送番組情報のジャンルを表すジャンル情報であることを特徴とする請求項１から８のいずれか１項に記載の情報抽出装置。
【請求項１０】
前記情報抽出手段は、抽出した情報要素のそれぞれに対して、
該情報要素が備える属性と前記属性指定手段により指定された属性の相関度に基づいて決定した優先度を付与することを特徴とする請求項１から８のいずれか１項に記載の情報抽出装置。
【請求項１１】
請求項９に記載の情報抽出装置を備えたデジタルテレビ。
【請求項１２】
１つの情報要素が複数の属性を備えることが可能な情報要素から構成されるデータベースにアクセスするデータベースアクセスステップと、
第一の属性を指定する属性指定ステップと、
複数の属性間の相関度を算出し指定する相関度指定ステップと、
前記相関度指定ステップにより算出され指定された前記属性間の相関度に関する一または複数の閾値を指定する閾値指定ステップと、
前記第一の属性以外のすべての属性を第二の属性と定義し、当該第二の属性の各々の属性に対して、前記相関度指定ステップから取得した前記第一の属性に対する前記第二の属性の各々の属性の相関度が、前記閾値指定ステップにより指定された第一の閾値に基づいて定められる範囲内であるか否かを判断し、範囲内である場合に第一の属性に対し相関が高い属性であると判定を行う相関度判定ステップと、
前記第一の属性を備える情報要素から構成される第一の集合と、前記第一の属性に対し相関が高い属性であると前記相関度判定ステップにより判定された属性に基づいて決定される第二の集合との論理演算により、情報要素を抽出する情報抽出ステップと
を備え、
前記情報抽出ステップは、
前記第一の属性に対し相関が高い属性であると判定された属性の各々に関して、第一の属性に対する当該相関が高い属性であると判定された属性の相関度である第一の相関度と、当該第一の属性に対し相関が高い属性であると判定された属性に対する第一の属性の相関度である第二の相関度とを前記相関度指定ステップから取得し、当該ふたつの相関度が前記閾値指定ステップにより指定された前記ひとつまたは複数の閾値に基づいて定められる範囲内である場合に第一の属性に対し特に相関が高い属性であると判定し、
当該第一の属性に対し特に相関が高い属性であると判定された属性のうち、少なくともひとつの属性を備える情報要素から構成される集合を第二の集合とすることを特徴とする情報抽出方法。
【手続補正２】
【補正対象書類名】明細書
【補正対象項目名】００１０
【補正方法】変更
【補正の内容】
【００１０】
上記課題を解決するために、本発明は、１つの情報要素が複数の属性を備えることが可能な情報要素から構成されるデータベースにアクセスするデータベースアクセス手段と、第一の属性を指定する属性指定手段と、複数の属性間の相関度を算出し指定する相関度指定手段と、前記相関度指定手段により算出され指定された前記属性間の相関度に関する一または複数の閾値を指定する閾値指定手段と、前記第一の属性以外のすべての属性を第二の属性と定義し、当該第二の属性の各々の属性に対して、前記相関度指定手段から取得した前記第一の属性に対する前記第二の属性の各々の属性の相関度が、前記閾値指定手段により指定された第一の閾値に基づいて定められる範囲内であるか否かを判断し、範囲内である場合に第一の属性に対し相関が高い属性であると判定を行う相関度判定手段と、前記第一の属性を備える情報要素から構成される第一の集合と、前記第一の属性に対し相関が高い属性であると前記相関度判定手段により判定された属性に基づいて決定される第二の集合との論理演算により、情報要素を抽出する情報抽出手段とを備え、前記情報抽出手段は、前記第一の属性に対し相関が高い属性であると判定された属性の各々に関して、第一の属性に対する当該相関が高い属性であると判定された属性の相関度である第一の相関度と、当該第一の属性に対し相関が高い属性であると判定された属性に対する第一の属性の相関度である第二の相関度とを前記相関度指定手段から取得し、当該ふたつの相関度が前記閾値指定手段により指定された前記ひとつまたは複数の閾値に基づいて定められる範囲内である場合に第一の属性に対し特に相関が高い属性であると判定し、
当該第一の属性に対し特に相関が高い属性であると判定された属性のうち、少なくともひとつの属性を備える情報要素から構成される集合を第二の集合とすることを特徴とする情報抽出装置を提供するものである。
【手続補正３】
【補正対象書類名】明細書
【補正対象項目名】００１２
【補正方法】変更
【補正の内容】
【００１２】
第二に、情報抽出手段が、第一の属性と第二の属性に対し、第一の属性から第二の属性への相関度と第二の属性から第一の属性への相関度の両方について閾値に基づいて定められる範囲内であるかの判定を行うことで、ユーザの所望する情報要素が備える属性をより適切に求めることができ、情報要素の取りこぼしの発生を抑制しつつ、抽出される情報要素の数を削減させることが可能となる。